(57)【要約】【課題】  電子遅延式点火装置の点火回路の検査のために、電子タイマを作動させてスイッチング部が作動しても暴発しない安全な電子遅延式点火装置および電気雷管を提供する。また、起爆秒時の精度が±０．５ｍｓ以内の高秒時精度を実現し、しかも起爆信頼性が高い電子遅延式点火装置および電気雷管を提供する。【解決手段】  点火薬１０６として用いたスチフニン酸鉛、ＤＤＮＰ／ＫＣｌＯ３ （＝５０／５０）の場合が精度の上から特に好ましく、さらに塩基性スチフニン酸鉛を用いた場合は精度が±０．１ｍｓ以下となり最も好ましいものである。本発明の点火薬を用いた場合には、基準秒時にかかわらず±０．５ｍｓ以内の精度が達成された。従来の点火薬を用いた比較例は、実施例と比較して一桁程度精度が悪かった。【選択図】          図３
2004345951.tif 000002
【特許請求の範囲】
【請求項１】
外部電源による電圧印加により発火に必要なエネルギを蓄積する発火用コンデンサと、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部とを具備する電子遅延式点火装置において、前記点火薬は、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムとの混合物；または（ｄ）ヘキサシアノ鉄酸カリウムおよびヘキサシアノコバルト酸カリウムの少なくとも一種と過塩素酸カリウムおよび重クロム酸カリウムの少なくとも一種との混合物、を含有することを特徴とする電子遅延式点火装置。
【請求項２】
請求項１において、前記点火薬の有効成分が塩基性スチフニン酸鉛であることを特徴とする電子遅延式点火装置。
【請求項３】
請求項２において、前記塩基性スチフニン酸鉛が粒径150 μｍ未満の粒状物であることを特徴とする電子遅延式点火装置。
【請求項４】
請求項１において、前記点火薬の有効成分が、ジルコニウムと過塩素酸カリウムの混合物で、両者の重量比が４：６〜６：４であることを特徴とする電子遅延式点火装置。
【請求項５】
請求項１において、前記点火薬の有効成分が、ジルコニウムと過塩素酸カリウムの混合物で、両者の重量比が３：７〜６：４であることを特徴とする電子遅延式点火装置。
【請求項６】
請求項１において、前記点火薬の有効成分が、ヘキサシアノ鉄酸カリウム及びヘキサシアノコバルト酸カリウムの少なくとも一種と過塩素酸カリウムとの混合物で、両者の重量比が３：７〜５：５であることを特徴とする電子遅延式点火装置。
【請求項７】
請求項１において、前記点火薬の有効成分が、ヘキサシアノ鉄酸カリウム及びヘキサシアノコバルト酸カリウムの少なくとも一種と重クロム酸カリウムとの混合物で、両者の重量比が１：９〜４：６であることを特徴とする電子遅延式点火装置。
【請求項８】
外部電源による電圧印加により発火に必要なエネルギを蓄積する発火用コンデンサと、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部と、前記点火薬の発火により起爆する起爆部とを具備する電子遅延式電気雷管であって、前記点火薬は、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムとの混合物；または（ｄ）ヘキサシアノ鉄酸カリウムおよびヘキサシアノコバルト酸カリウムの少なくとも一種と過塩素酸カリウムおよび重クロム酸カリウムの少なくとも一種との混合物、を含有することを特徴とする電子遅延式電気雷管。
【請求項９】
請求項８において、前記点火薬の有効成分が塩基性スチフニン酸鉛であることを特徴とする電子遅延式電気雷管。
【請求項１０】
請求項９において、前記塩基性スチフニン酸鉛が粒径１５０μｍ未満の粒状物であることを特徴とする電子遅延式電気雷管。
【請求項１１】
請求項８において、前記点火薬の有効成分が、ジルコニウムと過塩素酸カリウムの混合物で、両者の重量比が４：６〜６：４であることを特徴とする電子遅延式点火雷管。
【請求項１２】
請求項８において、前記点火薬の有効成分が、ジルコニウムと過塩素酸カリウムの混合物で、両者の重量比が３：７〜６：４であることを特徴とする電子遅延式点火雷管。
【請求項１３】
請求項８において、前記点火薬の有効成分が、ヘキサシアノ鉄酸カリウム及びヘキサシアノコバルト酸カリウムの少なくとも一種と過塩素酸カリウムとの混合物で、両者の重量比が３：７〜５：５であることを特徴とする電子遅延式点火雷管。
【請求項１４】
請求項８において、前記点火薬の有効成分が、ヘキサシアノ鉄酸カリウム及びヘキサシアノコバルト酸カリウムの少なくとも一種と重クロム酸カリウムとの混合物で、両者の重量比が１：９〜４：６であることを特徴とする電子遅延式点火雷管。
【発明の詳細な説明】
【技術分野】
【０００１】
本発明は、高精度の遅延秒時を有する点火装置に関し、特に、主として岩石等を破壊するための爆薬を起爆する電子遅延式電気雷管に関する。
【背景技術】
【０００２】
電子遅延式点火装置は、従来の燃焼組成物を用いた化学反応型遅延手段に代わり、大幅に起爆時間精度を向上させる目的で考案された。このような電子遅延式点火装置としては、従来、ＵＳＰ４４４５４３５号公報（特許文献１）、ＵＳＰ４５８６４３７号公報（特許文献２）、ＵＳＰ４７１２４７７号公報（特許文献３）、特公昭６３−５３４７９号公報（特許文献４）、特開昭６１−１１１９８９号公報（特許文献５）、特開平４−１６５８２号公報（特許文献６）、特開平５−７９７９７号公報（特許文献７）、特開平５−９９５９７号公報（特許文献８）等に開示された電子遅延式電気雷管が知られている。
【０００３】
これらの電子遅延式電気雷管は、電子タイマ部の遅延手段により、アナログタイプとデジタルタイプがあり、概略以下の３つが知られている。
【０００４】
第１は、ＵＳＰ４７１２４７７号に開示されているＣＲ回路を用いたアナログタイプの電子タイマである。図１にＣＲ回路を用いた電子遅延式点火装置のブロック図を示す。同図に示すように、この例では、抵抗１およびコンデンサ２が時定数回路３になっている。この時定数回路３には、コンデンサ２に蓄えられた電圧と既定電圧とを比較する比較回路４が接続されており、この比較回路４がコンデンサ２に蓄えられる電圧が既定電圧になるときを検出している。すなわち、このアナログ式の電子タイマは、図示しない発破器からエネルギが供給されてからコンデンサ２に所定の電圧が蓄えられるまでの所定時間を遅延時間とし、所定の遅延時間経過後出力パルスを出力するものである。一方、信号入力部には、入力抵抗５、整流器６および分圧抵抗７，８を有する回路が形成されている。発破用エネルギは、整流器６を介して一時的に、発火用コンデンサ９に蓄えられており、このエネルギは、上記遅延時間後に電子タイマから出力される出力パルスにより解放されるスイッチ回路を介して点火部に供給される。ここで、スイッチ回路はスイッチ１０，１１、ラッチ１２およびスイッチ１３からなり、また、点火部は、ヒータ１４とこのヒータ１４に接触した状態にある点火薬１５とから構成される。なお、電子タイマの遅延時間は、抵抗１の抵抗値またはコンデンサ２の容量値を変化させることにより任意に設定可能である。
【０００５】
第２は、ＵＳＰ４５８６４３７号に開示されているＣＲパルス発振器を用いたデジタルタイプの電子タイマであり、図２にＣＲパルス発振器を用いた電子遅延式点火装置のブロック図を示す。同図に示すように、この電子タイマの遅延手段は、電子タイマ回路２１とこれに接続されたコンデンサ２２および抵抗２３とから構成され、コンデンサ２２および抵抗２３の組み合わせによりコンデンサ２２の充放電繰り返しを行わせ、これにより発生させた所定の周波数を有するパルスを、電子タイマ回路に組み込まれた計数回路によりカウントして出力パルスを出力するように設計されている。なお、発破器からの信号入力部には、整流器２４、発火用コンデンサ２５および定電圧回路２６が設けられている。また、発火用コンデンサ２５に一時的に蓄えられていた発破用エネルギは、遅延時間経過後に電子タイマ回路から出力される上記出力パルスにより解放されるスイッチング部２７を介してヒータ２８および点火薬２９から構成される点火部に供給される。
【０００６】
第３は、水晶発振子等の固体発振子を用いたデジタルタイプの電子タイマであり、ＵＳＰ４４４５４３５号、特公昭６３−５３４７９号公報、特開昭６１−１１１９８号公報、特開平４−１６５８２号公報、特開平５−７９７９７号等に開示されている。
【０００７】
以上説明した第１〜第３の電子遅延式電気雷管の作動順序は、概略同様である。すなわち、発破器より所定のエネルギが発火用コンデンサに供給されると、電子タイマが作動を開始し、所定の秒時経過後、電子タイマ部（あるいは発破器）よりスイッチング部に出力パルス信号が出される。信号を受けるとスイッチング部は開放され、発火用コンデンサに蓄積されている電気エネルギが点火部に供給される。点火部は、ヒータとヒータに接触した点火薬により構成されており、発火用コンデンサに蓄積された電気エネルギが供給されるとヒータが加熱され、ヒータ表面温度が点火薬の発火温度に達すると点火薬は発火し、熱エネルギを起爆部に供給する。かくして、電子遅延型電気雷管は起爆される。
【０００８】
ここで、第１および第２の電子遅延式電気雷管の遅延手段の秒時精度は、電子遅延部だけを見ると、ＣＲを用いたＣＲ回路に依存する。このようなＣＲパルス発振回路の場合、秒時精度は、基本的に秒時を決定する時定数回路のコンデンサＣと抵抗Ｒの素子特性により決定されるため、素子の容量バラツキ等を許容せざるを得ず、例えば基準秒時１０００ｍｓに対しては、±数ｍｓ〜十数ｍｓの秒時精度である。
【０００９】
一方、第３の電子遅延式電気雷管は、固体発振子を用いている。この場合、固体発振子自体の発振精度が高いため、安定な発振状態を計数に利用することにより、基準秒時１秒に対しても±数十μｓ〜数百μｓの秒時精度を得ることができる。
【００１０】
いずれにしろ、これらの遅延手段を有した電子遅延式電気雷管は、燃焼組成物を利用した従来の電気雷管が基準秒時に対して５〜１０％という大きなバラツキを有することを考慮すれば、かかる電気雷管と比較する限り十分差別化されるものであった。
【００１１】
ところで、このように電子遅延式電気雷管では、発火用コンデンサに蓄積された電気エネルギのみで、電子タイマ他の回路作動、および点火部の発火が行なわれる。従って、蓄電量を大きくするために出来るだけ大きな容量のコンデンサを用いて高電圧で蓄電することが好ましいが、実際の設計上は形状が大きくなり過ぎないよう適度な大きさの容量を選択せざるを得ない。また、多数発破等を行う場合にも、発破器の電圧、容量が過大にならぬよう発火用コンデンサの充電電圧は２５Ｖ程度に抑えざるを得ない。従って、電子タイマ内の消費電流や点火部の点火エネルギは、出来るだけ低く抑えるのが通常であった。
【００１２】
電気雷管の場合、点火部の点火に要するエネルギ（最小点火エネルギ）は、迷走電流、漏洩電流のような外的電気的危険因子に対して、数種類のグレードがあるが、通常、エネルギの小さな約２〜４ミリジュールのものが使われる。
【００１３】
一方、当然のことながらこのような点火装置には高い起爆信頼性が要求される。通常、電気雷管のような点火装置では、発破の直前に導通テストを実施し点火回路の異常の有無について確認することが法的に義務付けられているが、製造時においても最終工程で点火回路の導通（抵抗）を確認することが起爆信頼性上、特に重要である。
【００１４】
当然、電子遅延式点火装置においても起爆信頼性上、製造の最終段階で点火回路のチェックを行うことが必要となる。電子遅延式点火装置の場合、回路の特徴上、点火回路の検査をするためにはスイッチング部を動作させることが必要である。このような回路チェック装置として本発明者等は電子遅延式電気雷管用導通チェッカーを開発した（特開平５−９９５９７号公報）。
【００１５】
電気雷管にしろ、電子遅延式電気雷管にしろ、点火装置の検査は、点火薬が付いた状態つまり最終製品形態で出来なければならない。電気雷管の点火回路の検査は導通チェックのみを行えば足り、通常１０ｍＡ以下という低電流を用いて行われるため、ヒータが過熱して点火薬が暴発するという恐れは少ない。しかし、電子遅延式電気雷管の場合は、従来の電気雷管と点火回路機構が異なるため以下に述べる困難な問題が生ずる。
【００１６】
すなわち、電子遅延式電気雷管の点火回路の検査を行う場合は、電子タイマを所定時間作動させて出力信号を得、これによって、スイッチング部が作動することを確認せねばならず、そのためには発火用コンデンサに回路の作動電圧以上の電圧をかける必要がある。従って、スイッチング作動後、点火部に流れる電流は、コンデンサ容量、電圧、ヒータ抵抗などの値によって変化するため、場合によっては、かなり大きな電流が流れてしまい暴発を招く恐れがあった。
【００１７】
一方、近年、発破技術の進歩により、起爆時間で発破をコントロールしようとした場合には、単に従来の電気雷管に比べて秒時精度が大幅に改善されたというだけでは十分でなく、以下に述べるように±０．５ｍｓの精度が必要になってきた。
【００１８】
例えば、発破の場合、最適な起爆秒時差は、爆薬の爆発生成ガスによる圧力が隣り合うボアホールと相互作用する時間であるという考えの一説として次の推定式が知られている。
ＤＴ＝Ｌ×１０００／（Ｖ×０．１２）
ＤＴ：最適な起爆秒時差（ｍｓ）
Ｌ  ：孔間隔（ｍ）
Ｖ  ：切羽の弾性波速度（ｍ／ｓ）
つまり、爆発生成ガスの作用下で、次の孔を起爆するのが最も発破効果が良いとされている。そこで、この推定式を使って、明るい場所の場合とトンネル内の場合との最適な起爆秒時を求めると次のようになる。
・明るい場所の場合、孔間隔は３〜５ｍとなるので、次式のようになる。
ＤＴ＝（３〜５）×１０００／（Ｖ×０．１２）
＝８〜２０ｍｓ
ただし、Ｖ（石灰石）＝２０００〜３００００ｍ／ｓ
・トンネル内の場合、孔間隔は概略１ｍ以下となるので、次式のようになる。
ＤＴ＝１×１０００／（Ｖ×０．１２）
＝１．７〜２．１ｍｓ
ただし、Ｖ（中硬岩）＝４０００〜５０００ｍ／ｓ
したがって、現場の条件によってバラツクことは有り得るが、一般的には、明るい場所の場合は８〜２０ｍｓ程度の秒時間隔が最適であり、ばらつきは±１０％許容しても±２ｍｓ以下が必要である。さらに、トンネル内のような孔間隔が短く、特に硬岩の発破に至っては、ばらつきは絶対精度で±０．５ｍｓ以下しか許容できない。
【００１９】
かくして、発破コントロールを目的とする電子遅延式電気雷管においては、±０．５ｍｓという絶対精度が必要となる。
【００２０】
従って、この場合には、遅延手段としては固体発振子を用いたデジタルタイプの電子タイマを用いることが必須となる。しかしながら、デジタルタイマを用いただけでは必ずしも十分ではなく、発火用コンデンサの容量、電圧等の適当な値に対して精度の高い点火を達成するには点火薬の選択が極めて重要である。
【００２１】
【特許文献１】ＵＳＰ４４４５４３５号公報
【特許文献２】ＵＳＰ４５８６４３７号公報
【特許文献３】ＵＳＰ４７１２４７７号公報
【特許文献４】特公昭６３−５３４７９号公報
【特許文献５】特開昭６１−１１１９８９号公報
【特許文献６】特開平４−１６５８２号公報
【特許文献７】特開平５−７９７９７号公報
【特許文献８】特開平５−９９５９７号公報
【発明の開示】
【発明が解決しようとする課題】
【００２２】
本発明は、このような事情に鑑み、電子遅延式点火装置の点火回路の検査のために、電子タイマを作動させてスイッチング部が作動しても暴発しない安全な電子遅延式点火装置を提供することを目的とする。
【００２３】
また、本発明は、起爆秒時の精度が±０．５ｍｓ以内の高秒時精度を実現し、しかも起爆信頼性の高い、電子遅延式点火装置を提供することを目的とする。
【００２４】
また、本発明は、電子遅延式点火装置の点火回路の検査のために、電子タイマを作動させスイッチング部が作動しても暴発しない安全な電子遅延式電気雷管を提供することを目的とする。
【００２５】
さらに、本発明は、起爆秒時の精度が±０．５ｍｓ以内の高秒時精度を実現し、しかも起爆信頼性の高い電子遅延式電気雷管を提供することを目的とする。
【課題を解決するための手段】
【００２６】
前記目的を達成する本発明の第１の態様において、電子遅延式点火装置は、外部電源による電圧印加により発火に必要なエネルギを蓄積する発火用コンデンサと、該発火用コンデンサに蓄積されるエネルギにより駆動される、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部とを具備する電子遅延式点火装置において、前記外部電源からの電圧印加領域に、前記電子タイマが駆動し、かつ前記スイッチング部が作動するが、このとき前記発火用コンデンサからのエネルギを受けても前記点火薬が発火しない、電圧印加領域があることを特徴とする。
【００２７】
ここで、前記電子タイマの該発火用コンデンサの静電容量をＣ０ ファラッドとすれば、該点火部の最小点火エネルギは、例えば、１２．５×Ｃ０ジュール以上である。
【００２８】
また、前記発火用コンデンサの静電容量Ｃ０は、例えば、４００×１６−６〜１２００×１０−６ファラッドである。
【００２９】
また、前記点火薬は、例えば、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムの混合物；または（ｄ）ヘキサシアノ鉄酸カリウム及びヘキサシアノコバルト酸カリウムの少なくとも一種と過塩素酸カリウムおよび重クロム酸カリウムの少なくとも一種との混合物、を含有する。
【００３０】
本発明の第２の態様において、電子遅延式点火装置は、発火に必要なエネルギを蓄積する発火用コンデンサと、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部とを具備する電子遅延式点火装置において、前記点火薬は、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムとの混合物；または（ｄ）ヘキサシアノ鉄酸カリウムおよびヘキサシアノコバルト酸カリウムの少なくとも一種と過塩素酸カリウムおよび重クロム酸カリウムの少なくとも一種との混合物、を含有することを特徴とする。
【００３１】
本発明の第３の態様において、電子遅延式電気雷管は、外部電源による電圧印加により発火に必要なエネルギを蓄積する発火用コンデンサと、該発火用コンデンサに蓄積されるエネルギにより駆動される、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部と、前記点火薬の発火により起爆する起爆部とを具備する電子遅延式電気雷管において、前記外部電源からの電圧印加領域に、前記電子タイマが駆動し、かつ前記スイッチング部が作動するが、このとき前記発火用コンデンサからのエネルギを受けても前記点火薬が発火しない、電圧印加領域があることを特徴とする。
【００３２】
ここで、前記電子タイマの該発火用コンデンサの静電容量をＣ０ ファラッドとすれば、該点火部の最小点火エネルギは、例えば、１２．５×Ｃ０ ジュール以上である。
【００３３】
また、前記発火用コンデンサの静電容量Ｃ０ は、例えば、４００×１０−６〜１２００×１０−６ファラッドである。
【００３４】
また、前記点火薬は、例えば、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムの混合物；または（ｄ）ヘキサシアノ鉄酸カリウム及びヘキサシアノコバルト酸カリウムの少なくとも一種と過塩素酸カリウムおよび重クロム酸カリウムの少なくとも一種との混合物、を含有する。
【００３５】
本発明の第４の態様において、電子遅式電気雷管は、外部電源による電圧印加により発火に必要なエネルギを蓄積する発火用コンデンサと、固体発振子を備えて予め設定された遅延時間後に出力信号を出力する電子タイマ部と、該出力信号により前記発火エネルギを移送するスイッチング部と、該スイッチング部で移送された前記発火エネルギを受けて発火する点火薬を有する点火部と、前記点火薬の発火により起爆する起爆部とを具備する電子遅延式電気雷管において、前記点火薬は、有効成分として、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムとの混合物；または（ｄ）ヘキサシアノ鉄酸カリウムおよびヘキサシアノコバルト酸カリウムの少なくとも一種と過塩素酸カリウムおよび重クロム酸カリウムの少なくとも一種との混合物、を含有することを特徴とする。
【００３６】
一般に、点火部のヒータに加えられるエネルギは、発火用コンデンサの容量をＣ、充電電圧をＶとすれば、（１／２）ＣＶ２で与えられる。充電電圧は、点火回路の駆動のために低くても２．５Ｖが必要である。なお。充電電圧の上限は発火用コンデンサを充電する発破器の能力的制約から、高くても約２５Ｖ程度に抑えねばならない。
【００３７】
実用的な電子遅延式点火装置を設計するには、まず、点火回路検査電圧を２．５〜３．０Ｖとし、電圧安全度を約２Ｖ以上とすることが必要である。即ち、２．５Ｖ〜５Ｖの範囲では、電子タイマが駆動し、かつスイッチング部が作動するが、この充電電圧では点火部が発火することがない。すなわち、このような電圧印加範囲を有することが本発明の特徴であるが、この電圧印加範囲は少なくとも約２Ｖ程度の電圧安全度を考慮した範囲であることが好ましい。
【００３８】
また、発破実施時の発火用コンデンサの充電電圧を一般的な充電電圧である電圧１５〜２５Ｖとし、電圧余裕度を３Ｖ以上とする、即ち、発火用コンデンサの充電電圧が１２Ｖ以上の電圧では点火されないことが無いようにすべきである。
【００３９】
ここで、電圧安全度とは、最小点火電圧と点火回路検査電圧との差電圧であり、電圧余裕度とは、発火用コンデンサの発破時の充電電圧と最小点火電圧との差電圧である。電子タイマを作動させて点火時間を遅延させる場合、回路駆動等により電力が消費され発火用コンデンサ電圧が低下するため、３Ｖ程度以上の電圧余裕度があることが好ましい。
【００４０】
従って、最小点火エネルギは、
（１／２）×Ｃ０×５２＝１２．５Ｃ０ジュール
以上であることが好ましく、かつ、一般的には、
（１／２）×Ｃ０×１２２＝７２Ｃ０ジュール
以下とすべきである。但し、ここで、Ｃ０は発火用コンデンサの容量である。なお、この発火用コンデンサ容量Ｃ０値は、コンデンサの大きさの制約から４００〜１２００μＦとするのが適当である。
【００４１】
ところで、点火に必要な最小のエネルギは、ヒータおよび点火薬の組み合わせによって決まる。ヒータは、種々の線径の白金−イリジウム線、ニクロム線などを用いることが出来る。
【００４２】
また、点火部には発火時間のばらつきが特に少ないことが要求されるため、点火薬は短時間で反応が完結する起爆薬系の火薬を用いるのが良い。しかも、形状小型化により点火エネルギを与える発火用コンデンサの電圧、容量が限られるため、低電流で発火時間が短いことが特に重要である。
【００４３】
具体的には、ジアゾジニトロフェノール（ＤＤＮＰ）、テトラセン、スチフニン酸鉛、アジ化銀、アジ化鉛、塩基性ピクリン酸鉛、またはアセチレン銅から選ばれる少なくとも一種の点火薬、またはＤＤＮＰと塩素酸カリウムとの混合物、あるいはジルコニウムと過塩素酸カリウムの混合物、あるいはヘキサシアノ鉄酸カリウム（またはヘキサシアノコバルト酸カリウム）との過塩素酸カリウム（または重クロム酸カリウムとの混合物が挙げられる。この中で、特に好ましいのはスチフニン酸鉛であり、とくに１５０μｍ未満の粒径の細かい塩基性塩が低電流でも感度のばらつきも少なく有効である。
【００４４】
本発明者等は、以上述べたような態様によって、十分な電圧安全度をもって点火回路の検査を行うことが出来る電子遅延式点火装置及び電子遅延式電気雷管が得られることを見いだし、本発明をなすに至ったものである。
【００４５】
さらに、本発明者らは、電子タイマ部と点火部との関係について鋭意検討した結果、固体発振子を用いた電子タイマ部と上記（ａ）〜（ｄ）の物質、すなわち、（ａ）スチフニン酸鉛、ジアゾジニトロフェノール、テトラセン、アジ化銀およびアジ化鉛からなる群から選ばれる少なくとも一種；（ｂ）ジアゾジニトロフェノールと塩素酸カリウムとの混合物；（ｃ）ジルコニウムと過塩素酸カリウムの混合物；または（ｄ）ヘキサシアノ鉄酸カリウム及びヘキサシアノコバルト酸カリウムの少なくとも一種と過塩素酸カリウムおよび重クロム酸カリウムの少なくとも一種との混合物、を点火薬の有効成分として用いた点火部とを組み合わせることによって、遅延秒時の長短にかかわらず±０．５ｍｓの精度を達成できることを見いだし本発明を完成するに至ったものである。なお、上記（ａ）〜（ｄ）の物質を電子遅延式雷管の点火薬として用いた例は知られておらず、一部の物質について、起爆薬に用いた例（特開平４−１６５８２号公報）、および遅延手段を全く有しない瞬発性の電気雷管の点火薬に用いた例（スチフニン酸鉛についてＣＡ９８２５９６号、ヘキサシアノ酸鉄カリウムと過塩素酸カリウムとの混合物についてＵＳＰ３７９３１００号など）が知られているにすぎない。
【００４６】
ここで、本発明で用いる（ａ）の物質は、それぞれ単独であるいは二種以上混合して点火薬の有効成分として用いることができる。なお、スチフニン酸鉛はその製造方法により中性スチフニン酸鉛および塩基性スチフニン酸鉛があるが、塩基性スチフニン酸鉛の方がより好ましい。ＫＣｌＯ３の割合は７０重量％未満とするのが好ましい。これは、ＫＣｌＯ３の割合が７０重量％を越えると、点火薬の反応性が低下する傾向があるからである。なお、両者の重量比が、４：６〜６：４となる範囲が特に好ましい。
【００４７】
（ｃ）のＺｒとＫＣｌＯ４との混合物の組成物を点火薬として用いる場合は、両者の重量比が、３：７〜６：４となる範囲が好ましい。この範囲を外れると、点火薬の反応性が低下する傾向があるからである。
【００４８】
（ｄ）のＫ３Ｆｅ（ＣＮ）６およびＫ３Ｃｏ（ＣＮ）６の少なくとも一種とＫ２Ｃｒ２Ｏ７との混合物を点火薬として用いる場合は、両者の重量比が、１：９〜４：６となる範囲が好ましい。この範囲を外れると、点火薬の反応性が低下する傾向にあるからである。
【００４９】
また、（ｄ）のＫ３Ｆｅ（ＣＮ）６およびＫ３Ｃｏ（ＣＮ）６の少なくとも一種とＫＣｌＯ４との混合物を点火薬として用いる場合は、両者の重量比が、３：７〜５：５となる範囲が好ましい。この範囲を外れると、点火薬の反応性が低下する傾向があるからである。
【００５０】
本発明の上記（ａ）〜（ｃ）の物質を用いる点火薬は、該当する物質をそのままあるいは単に混合すればよいが、上記（ｄ）の物質を用いる点火薬は、上述した範囲の混合物を温湯に溶解した後、１−プロパノールまたは２−プロパノールなどのアルコールで再結晶して用いる必要がある。また、本発明の点火薬は、これらの物質（混合物）にバインダ（造粒剤）を添加したものでもよい。バインダとしては、例えばメチルセルロースを最大約０．０１重量％程度用いればよい。なお、本発明で用いる点火薬は、上記（ａ）〜（ｄ）の物質を有効成分として用いるが、本発明の効果を減縮しない範囲で他の添加物を添加してもよい。
【００５１】
上記（ａ）〜（ｄ）を有効成分とした点火薬を用いた点火部は、遅延秒時の長短にかかわらず±０．５ｍｓの精度を達成できるものである。これは、従来においては達成できない精度であり、例えば、アンチモン（Ｓｂ）および過塩素酸カリウム（ＫＣｌＯ４）の混合物、またはロダン酸鉛および塩素酸カリウム（ＫＣｌＯ３）の混合物などからなる従来の点火薬を用いた点火部は、±０．５ｍｓの精度も達成することはできない。
【発明を実施するための最良の形態】
【００５２】
以下、本発明を実施例に基づいて詳細に説明する。
【００５３】
図３は、一実施例に係る電子遅延式電気雷管の概略を示す断面図である。同図に示すように、ケース１０１内には、発火に必要なエネルギを蓄積する発火用コンデンサ１０２と、固体発信器を備えて予め設定された遅延時間後に出力信号を出力する電子タイマ１０３と、この電子タイマ１０３からの出力信号を受けて発火エネルギーを移送するスイッチング部１０４と、ヒータ１０５および点火薬１０６を有し、スイッチング部１０４により移送される発火エネルギーを受けて発火する点火部１０７とが納められている。これら発火用コンデンサ１０２、電子タイマ１０３、スイッチング部１０４および点火部１０７は、本発明の一実施例に係る電子遅延式点火装置を構成し、そのブロック図は図４に示したとおりである。なお、点火装置の一対の入力端子となる脚線または外線１０８は、ケース１０１を封止する塞栓１０９を貫通してケース１０１外に突出している。また、かかるケース１０１内の先端部には起爆部１１０を保持する管体１１１が内包されている。管体１１１の先端部には添装薬１１２が充填され、さらに起爆薬１１３をその先端側および後端側から挟持する一対の内管１１４が設けられている。また、管体１１１の後端部は塞栓１１５により封止されており、上記点火部１０７は、塞栓１１５の先端に設けられたカップ１１６内に臨むように設けられている。
【００５４】
ここで、図４に示すように、電子タイマ部１０３は、水晶発振子２０１、抵抗２０２およびコンデンサ２０３，２０４、発振回路２０５、デジタルタイマ２０６、および発振回路２０５が定常発振状態になるまでの立ち上がりの期間の間デジタルタイマ２０６内のカウンタ（図示せず）をリセットさせておくリセット保持回路２０７とからなり、このリセット保持回路２０７は、コンデンサ２０８、２０９および抵抗２１０からなる。この電子タイマ部１０３は、水晶発振子２０１で発生するパルスをデジタルタイマ２０６内に組込まれた計数回路でカウントし、所定値に達したときに出力パルスを出力するように設計されている。また、電子タイマ部１０３には、スイッチング部１０４を介して抵抗（ヒータ）１０５および点火薬１０６からなる点火部１０７が接続されている。かかるスイッチング部１０４は、サイリスタ２１１により構成され、電子タイマ部１０３からの出力パルスにより解放され、発火用コンデンサ１０２に蓄えられていた発破エネルギを点火部１０７に移送するように構成されている。なお、この電子タイマ部１０３は、デジタルタイマ２０６のカウント数の設定値を変えることにより遅延秒時を決定することができる。
【００５５】
また、この電子式遅延点火装置の信号入力部においては、入力端子２１２，２１３間に側路抵抗器２１４が接続されるとともに整流器２１５の入力側が接続される。整流器２１５の出力側の両端間に発火用コンデンサ１０２および放電抵抗器２１６が接続される。側路抵抗器２１４は、発破現場で発生する迷走電流によって発火に至るまでの電圧が発火用コンデンサ１０２に充電されないようにし、また複数個の電子遅延式点火装置を直列に接続して発破する場合に発破電圧をある程度均等に分割して整流器２１５に印加するためのものである。整流器２１５は入力端子２１２，２１３間に印加される発破電力の極性に無関係に所定の極性で発火用コンデンサ１０２に発破電力を充電するためのものである。放電抵抗器２１６は、点火を中止する場合などに発火用コンデンサ１０２の電荷を放電するためのものである。
【００５６】
上述した点火部１０７および制御電極を有するスイッチング部１０４の直列回路は、発火用コンデンサ１０２の両端間に接続される。また、発火用コンデンサ１０２の両端に定電圧回路２１７の入力側が接続され、定電圧回路２１７の出力側にデジタルタイマ２０６が接続される。
【００５７】
また、デジタルタイマ２０６は発振回路２０５、その発振出力を計数するカウンタ、そのカウンタの計数値と設定値との一致を検出する一致検出回路とを基本構成とするが、さらに詳細には、例えば特開平５−７９７９７号公報に示す構成をとることができる。この図４ではデジタルタイマ２０６が集積回路として構成されている場合である。デジタルタイマ２０６の端子１，２（丸１，丸２）が定電圧回路２１７の一対の出力端子に接続され、端子３，４（丸３，丸４）間に水晶またはセラミックの振動子２０１が接続され、かつ端子３，４（丸３，丸４）はコンデンサ２０３，２０４を通じて接地端子２（丸２）接続され、１３個の設定用端子５（丸５）が接地端子２（丸２）に接続され、端子６（丸６）がサイリスタ２１１のゲートに接続されている。この１３個の設定用端子５（丸５）を接地端子２（丸２）から選択的に切り離すことにより所期の遅延時間に対応する各種の数値に設定することができる。
【００５８】
振動子２０１および帰還用抵抗器２０２とデジタルタイマ２０６の内部回路とにより発振回路２０５が構成され、その発振回路２０５の発振出力が内部のカウンタで計数され、そのカウンタの計数値が設定値と一致すると内部の一致検出回路から端子６（丸６）に一致検出出力を出し、サイリスタ２１１をオンに制御する。よって、発火用コンデンサ１０２に蓄積された発破電力が点火部１０７に供給され、点火薬１０６が発火する。
【００５９】
また、このように点火薬１０６が発火した場合、その熱エネルギは起爆部１１０に供給され、起爆薬１１３が起爆され、次いで添装薬１１２が爆発する。なお、添装薬１１２および起爆薬１１３としては、従来から通常用いられているものを用いればよい。添装薬１１２としては、テトリル、ペンスリットなどを挙げることができ、また、起爆薬１１３としては、ジアゾジニトロフェノール、アジ化鉛などを挙げることができる。
【００６０】
ところで、前述の如く、定電圧回路２１７から出力される電圧によって発振回路２０５とデジタルタイマ２０６とを駆動させるので、出力電圧は通常２．５〜５Ｖとする必要があるが、この電圧は、設計上低い方が発火用コンデンサ１０２の蓄電エネルギを消耗させないので好ましい。本実施例では、定電圧回路２１７の出力電圧を２．５Ｖに設定した。この出力電圧を得るには入力電圧として少なくとも２．８Ｖ以上の電圧を印加する必要があった。従って、点火回路の検査を行うための発火用コンデンサ１０２の充電電圧は、２．８Ｖ以上とする必要がある。本実施例では、これを３．０Ｖとして点火回路の検査を行うこととした。
【００６１】
また、電圧安全度は２Ｖ超として最小発火電圧は５Ｖ超となること、即ち、点火エネルギで言えば（１／２）×５２×Ｃ０＝１２．５×Ｃ０となることとした。
【００６２】
最小点火エネルギは、ヒータおよび点火薬の組み合わせによって決まるが、ヒータは、白金−イリジウム（Ｐｔ−Ｉｒ）線、ニクロム線などを用い、その線径を変えることによって、種々のヒータ抵抗を得た。
【００６３】
第１表にＣ０が４７０μＦ及び１０００μＦの電解コンデンサを用いた場合の点火部の仕様について例示する。なお、実験温度は常温（３０℃）とした。また、比較のため、点火最小点火エネルギを（１／２）×３２×Ｃ０＝４．５Ｃ０程度としたものを設計し、検査した結果を併せて第１表に示す。
【００６４】
【表１】
2004345951.tif 000003
【００６５】
第１表に例示された仕様の点火部を用いた電子遅延式電気雷管の点火回路検査を、発火用コンデンサを３Ｖに充電して行ったが、各実施例の場合も十分な電圧安全度（４Ｖ以上）をもって検査を行うことが出来たが、比較例１においては、回路検査において、すべて発火してしまった。また、比較例２においては約２回に１回の割合で発火が起こった。さらに、各実施例の検査済みの電子遅延式電気雷管の起爆実験を発火用コンデンサを１５Ｖに充電して行ったが、いずれの場合も、遅延時間を８秒とした場合にも確実な起爆が見られた。
【００６６】
図１に示す電子遅延式点火装置において、発火用コンデンサ１０２の容量を１０００μＦ、点火部１０７のヒータ１０５を、太さが３０μｍのＰｔ−Ｉｒ線（０．７オーム）とし、点火薬１０６として、本発明に係る種々の点火薬を用いて起爆試験を行った。なお、本実施例でも、定電圧回路２１７の出力電圧を２．５Ｖに設定し、３．０Ｖとして点火回路の検査を行った。
【００６７】
また、比較例として、点火薬１０６として、Ｓｂ−過塩素酸カリウム系点火薬およびロダン鉛−塩素酸カリウム系点火薬をそれぞれ用いて起爆試験を行った。かかる起爆試験では、その起爆秒時精度を測定した（繰り返し回数ｎ＝５０）。なお、印加電圧は１５Ｖとし、基準秒時は、１０００、４０００、８０００ｍｓに設定した。これらの秒時精度の結果をバラツキ範囲として第２表に示す。なお、実施例で用いた塩基性スチフニン酸鉛は、苛性ソーダを溶解した温湯に、スチフニン酸を加え、ナトリウム塩とし、ｐＨを苛性ソーダ水溶液で１０〜１１に調整した後、硝酸鉛を加え、氷冷水で急冷することにより製造したものである。
【００６８】
【表２】
2004345951.tif 000004
【００６９】
第２表から明らかなように、本発明の点火薬を用いた場合には、基準秒時にかかわらず±０．５ｍｓ以内の精度が達成された。なかでもスチフニン酸鉛、ＤＤＮＰ／ＫＣｌＯ３（＝５０／５０）の場合が精度の上から特に好ましく、さらに塩基性スチフニン酸鉛を用いた場合は精度が±０．１ｍｓ以下となり最も好ましいものである。なお、従来の点火薬を用いた比較例は、実施例と比較して一桁程度精度が悪かった。
【００７０】
なお、以上説明した実施例では、点火装置および雷管の一例を示したが、これらの構造はこれは限定されるものではないことは言うまでもない。例えば、点火装置は、固体発振子を備えたデジタルタイマを備え、本発明の目的を達成できるものであればよい。また、この点火装置に起爆部を設けた雷管の構造も特に限定されず、点火薬の発火により起爆する起爆部を有するものであればよい。ここで、起爆部は、少なくとも起爆薬を有し、さらに必要に応じて添装薬を有するものをいう。
【産業上の利用可能性】
【００７１】
本発明の電子遅延式点火装置および電気雷管は、製品の段階での点火回路検査を安全にかつ確実に行うことができるため、信頼性の高い起爆システムを提供することができ、且つ市場使用に耐え得る小型化を実現することができ、さらに点火薬として特定の物質を用いることにより、起爆秒時の精度が±０．５ｍｓの電子遅延式点火装置および電気雷管が達成でき、精密で信頼性の高い発破コントロールが可能となる。
【００７２】
本発明の電子遅延式点火装置および電気雷管は、製品の段階での点火回路検査を安全にかつ確実に行うことができるため、信頼性の高い起爆システムを提供することができ、且つ市場使用に耐え得る小型化を実現することができ、さらに点火薬として特定の物質を用いることにより、起爆秒時の精度が±０．５ｍｓの電子遅延式点火装置および電気雷管が達成でき、精密で信頼性の高い発破コントロールが可能となる。
【図面の簡単な説明】
【００７３】
【図１】アナログタイプの電子タイマを用いた電子遅延式点火装置の一例を示すブロック図である。
【図２】ＣＲパルス発振器を用いた電子遅延式点火装置の一例を示すブロック図である。
【図３】本発明の一実施例にかかる電子遅延式点火装置および電気雷管の概略構成を示す断面図である。
【図４】本発明の一実施例の点火装置のブロック図である。
【図１】
2004345951.tif 000005
【図２】
2004345951.tif 000006
【図３】
2004345951.tif 000007
【図４】
2004345951.tif 000008